(57)【要約】【課題】角波状の金属屋根にけらば包みを設置するに当たり、けらば包みの内側の先端と金属屋根との間に極力隙間を介在させないようにした金属屋根のけらばの雨仕舞構造を提供する。【解決手段】本発明は、屋根下地材４と、この屋根下地材４上に設置され山部１１と谷部１２とが連設された角波状の金属屋根１と、この金属屋根１のけらば側の端部を覆うけらば包み２とを備えた金属屋根のけらばの雨仕舞構造である。金属屋根１のけらば側の端部を形成する第１の山部１６と、この第１の山部１６のすぐ内側に並ぶ第２の山部１７と、第１の山部１６と屋根下地材４との間に配置された固定具５と、第１の山部１６の頂面１３と第２の山部１７の頂面１３とに載置された状態で固定具５に固定され金属屋根１とけらば包み２との間に配置された内カバー３とを備えている。【選択図】図１
2013237973.tif 000002
【特許請求の範囲】
【請求項１】
屋根下地材と、
この屋根下地材上に設置され山部と谷部とが連設された角波状の金属屋根と、
この金属屋根のけらば側の端部を覆い当該けらば側とは反対側の端部に止水材が設けられたけらば包みと
を備えた金属屋根のけらばの雨仕舞構造であって、
前記金属屋根のけらば側の端部を形成する第１の山部と、
この第１の山部のすぐ内側に並ぶ第２の山部と、
前記第１の山部と前記屋根下地材との間に配置された固定具と、
前記第１の山部の頂面と前記第２の山部の頂面とに載置された状態で前記固定具に固定され前記金属屋根と前記けらば包みとの間に配置された内カバーと
を備えている
ことを特徴とする金属屋根のけらばの雨仕舞構造。
【請求項２】
前記内カバーが固着具を介して前記固定具に固定されており、
前記けらば包みが前記固着具の上方を覆っている
ことを特徴とする請求項１記載の金属屋根のけらばの雨仕舞構造。
【請求項３】
前記内カバーが、前記第１の山部と前記第２の山部との間の谷部に配置される垂下片部を有している
ことを特徴とする請求項１または請求項２のいずれかに記載の金属屋根のけらばの雨仕舞構造。
【発明の詳細な説明】
【技術分野】
【０００１】
本発明は、金属屋根のけらばの雨仕舞構造に関する。
【背景技術】
【０００２】
従来、金属屋根のけらば側の端部には、けらば包みが取り付けられている（例えば特許文献１参照）。この特許文献１記載の屋根構造は、山部と谷部とが連設された角波状の金属屋根のけらば側の端部に、けらば包みが取り付けられている。
【０００３】
ところで、この種の金属屋根は、屋根下地上に設置される。金属屋根は、流れ方向とは直角な方向に山部と谷部とが順に並ぶよう配置される。金属屋根のけらば側の端部は、屋根下地材のけらば側の端部に合わせて切断される。
【０００４】
この後、この金属屋根のけらば側の端部を覆うようにして、けらば包みが設置される。ここで、図６（ｄ）に示されるように、けらば包み７の内側の先端には、止水材７１が取り付けられている。けらば包み７の先端は、金属屋根８の山部８１の頂面に当接する。これにより、けらば包み７と金属屋根８との間への浸水を防ぐようになっている。
【先行技術文献】
【特許文献】
【０００５】
【特許文献１】特開平７−１８０２９１号公報
【発明の概要】
【発明が解決しようとする課題】
【０００６】
ところで、この角波状の金属屋根８は、山部８１と谷部８２とが繰り返し形成されたものである。このため、図６（ａ）〜（ｄ）に示されるように、金属屋根８のけらば側の端部には、切断する位置に応じて、山部８１が位置したり、あるいは谷部８２が位置したりすることになる。
【０００７】
一方、けらば包み７の上面の幅は、同じ種類のけらば包みを使用する以上、現場によらず略一定の長さである。このため、金属屋根８の切断する位置によっては、けらば包み７の内側の先端が谷部８２の上方に位置する場合が生じる（図６（ｂ））。この場合、けらば包みの内側の先端と金属屋根との間に隙間が生じてしまう。
【０００８】
けらば包みの内側の先端と、金属屋根との間に隙間が生じると、見栄えが悪いうえに、適切に止水ができないという問題がある。止水上の問題として、例えば、けらば包みを伝って金属屋根に流下しようとした雨水が、風等の影響で、けらば包みの内側の先端から回りこんでしまう場合がある。
【０００９】
本発明は、上記事情に鑑みてなされたものであり、その目的とするところは、角波状の金属屋根にけらば包みを設置するに当たり、けらば包みの内側の先端と金属屋根との間に隙間を介在させないようにできる金属屋根のけらばの雨仕舞構造を提供することにある。
【課題を解決するための手段】
【００１０】
本発明の金属屋根のけらばの雨仕舞構造は、屋根下地材と、この屋根下地材上に設置され山部と谷部とが連設された角波状の金属屋根と、この金属屋根のけらば側の端部を覆い当該けらば側とは反対側の端部に止水材が設けられたけらば包みとを備えた金属屋根のけらばの雨仕舞構造であって、前記金属屋根のけらば側の端部を形成する第１の山部と、この第１の山部のすぐ内側に並ぶ第２の山部と、前記第１の山部と前記屋根下地材との間に配置された固定具と、前記第１の山部の頂面と前記第２の山部の頂面とに載置された状態で前記固定具に固定され前記金属屋根と前記けらば包みとの間に配置された内カバーとを備えていることを特徴とする。
【００１１】
またこの金属屋根のけらばの雨仕舞構造において、前記内カバーが固着具を介して前記固定具に固定されており、前記けらば包みが前記固着具の上方を覆っていることが好ましい。
【００１２】
またこの金属屋根のけらばの雨仕舞構造において、前記内カバーが、前記第１の山部と前記第２の山部との間の谷部に配置される垂下片部を有していることが好ましい。
【発明の効果】
【００１３】
本発明の金属屋根のけらばの雨仕舞構造によれば、けらば包みの内側の端部に、内カバーを当接させることができるため、角波状の金属屋根にけらば包みを設置するに当たり、けらば包みの内側の端部と金属屋根との間に隙間を介在させないようにできる。
【図面の簡単な説明】
【００１４】
【図１】（ａ）〜（ｄ）は、本実施形態の金属屋根のけらばの雨仕舞構造の作業工程を説明する図である。
【図２】本実施形態の屋根下地材を示す斜視図である。
【図３】本実施形態の金属屋根の分解斜視図である。
【図４】本実施形態の金属屋根の斜視図である。
【図５】（ａ）〜（ｄ）は、本実施形態の雨仕舞構造において、金属屋根の位置が施工現場ごとに異なる場合の断面図を示す。
【図６】（ａ）〜（ｄ）は、参考例の金属屋根のけらばの雨仕舞構造を示す断面図である。
【発明を実施するための形態】
【００１５】
以下、本発明の実施形態について添付図面に基づいて説明する。
【００１６】
本実施形態の金属屋根１のけらばの雨仕舞構造は、図１（ｄ）に示されるように、屋根下地材４と、金属屋根１と、けらば包み２と、内カバー３と、固定具５とを備えている。
【００１７】
金属屋根１は、図３に示されるように、屋根下地材４上に設置される。金属屋根１は、山部１１と谷部１２とを有している。金属屋根１は、山部１１と谷部１２とが連設された角波状をしている。山部１１及び谷部１２は、屋根勾配方向に長さを有している。山部１１と谷部１２とは、屋根勾配方向とは直角な方向に並設されている。山部１１は、図１に示すように、頂面１３を有している。頂面１３は上方に臨んでいる。頂面１３は平坦面であるが、特に限定されない。谷部１２は、底面１４を有している。底面１４は上方に臨んでいる。底面１４は平坦面であるが、特に限定されない。金属屋根１は、例えば、金属鋼板を曲げ加工することで形成される。
【００１８】
ここで、金属屋根１の屋根勾配方向は流れ方向として定義される。特に、屋根勾配方向の高い側は水上側として定義される。屋根勾配方向の低い側は水下側として定義される。さらに、金属屋根１において流れ方向に直角な方向の端部が、けらばとして定義される。
【００１９】
金属屋根１は、図３に示すように、複数のルーフ材１５を有している。ルーフ材１５は、山部１１と谷部１２とが流れ方向に直角な方向に連続して形成された角波状の屋根材である。金属屋根１は、複数のルーフ材１５が、流れ方向とは直角な方向に並設されることで構成される。なお、金属屋根１は、例えば、断面略Ｖ字状の折板材を流れ方向とは直角な方向に連結して形成されたものであってもよい。
【００２０】
屋根の形状としては、切妻屋根、片流れ屋根等が挙げられる。なお、本実施形態の屋根は、図２に示されるように、切妻屋根である。
【００２１】
屋根下地材４は、金属屋根１を支持する。屋根下地材４は、野地板４１と、垂木（図示せず）と、母屋（図示せず）とを備えている。野地板４１は、垂木上に敷設される。垂木は、流れ方向に長さを有している。垂木は、流れ方向とは直角な方向に複数並設される。垂木は、母屋に支持されている。母屋は、垂木の長手方向に直角な方向に長さを有している。母屋は、流れ方向に複数並設される。
【００２２】
なお、屋根下地材４は、この構成に限定されない。例えば、母屋上にタイトフレームを配置し、金属屋根１を設置する場合には、タイトフレームや母屋が屋根下地材４となる。
【００２３】
けらば包み２は、図１（ｄ）に示されるように、金属屋根１のけらば側の端部を覆う。けらば包み２は、流れ方向に長さを有している。けらば包み２は、流れ方向において水上側の端部から水下側の端部に亙って設けられている。けらば包み２は、上面部２１と、側面部２２とを備えている。けらば包み２は、断面横倒し略Ｌ字状をしている。けらば包み２は、例えば、金属鋼板を曲げ加工することで形成される。
【００２４】
上面部２１は、金属屋根１の端部上面を覆う。上面部２１は、流れ方向とは直角な方向に所定の幅を有している。上面部２１は、傾斜面部２３を有している。傾斜面部２３は、けらば側とは反対側の端部（内側の端部）に設けられている。傾斜面部２３は、けらばから離れる側に向かうほど下方に位置するよう傾斜している。傾斜面部２３の下端は、内カバー３の上面に当接するよう配置される。
【００２５】
傾斜面部２３の先端には、止水材配設片２４が延設される。止水材配設片２４は、傾斜面部２３の内側の先端から、けらば側に向かって水平方向に延出する。止水材配設片２４は、上面部２１の水上側の端部から水下側の端部の全長に亙って連続して設けられている。この止水材配設片２４には、止水材２５が貼着されている。
【００２６】
側面部２２は、金属屋根１を側方から覆う。側面部２２は、上面部２１のけらば側の端部から下方に延出している。言い換えると、側面部２２は、上下方向に幅を有している。側面部２２は、鉛直面である。側面部２２の下端は、野地板４１よりも下方に位置している。
【００２７】
金属屋根１は、次のようにして葺設される。
【００２８】
施工者は、屋根下地材４を形成する。次に、施工者は、図３に示すように、屋根下地材４上にルーフ材１５を配置する。施工者は、ルーフ材１５の山部１１及び谷部１２が屋根勾配方向（つまり、流れ方向）に沿うような姿勢で、ルーフ材１５を配置する。施工者は、複数のルーフ材１５を、流れ方向に直角な方向に順に配置してゆく。施工者は、ルーフ材１５を屋根下地材４に固定する。これにより、金属屋根１が屋根下地材４上に設置される（図４）。
【００２９】
このとき、金属屋根１の流れ方向とは直角な方向の長さは、予め決められた所定の寸法になっている。このため、金属屋根１のけらば側の端部と、屋根下地材４のけらば側の端部との位置関係は、現場ごとに異なるものとなる。このため、通常、金属屋根１のけらば側の端部は、現場施工によって、屋根下地材４のけらば側の端部に合わせて切断される。
【００３０】
このとき、図６に示すように、金属屋根１のけらば側の端部には、山部１１が位置するのか、あるいは谷部１２が位置するのかが、切断する位置により異なる。したがって、単に、けらば包み２が設置されただけだと、けらば包み２の上面部２１の内側の端部（流れ方向とは直角な方向においてけらばとは反対側の端部）が、山部１１上に位置するか、あるいは谷部１２上に位置するかが、現場ごとに異なってしまう。特に、けらば包み２の上面部２１の内側の端部が、谷部１２上に位置してしまうと、外観上、見栄えがよくない上に、けらば包み２を伝って金属屋根１に流下しようとした雨水が、風等により、けらば包み２の裏側に回りこんでしまうことも考えられる。
【００３１】
したがって、この問題を解消するため、本実施形態の雨仕舞構造では、金属屋根１とけらば包み２との間には、内カバー３が配置されている。
【００３２】
内カバー３は、図１（ｃ）に示されるように、覆い部３１と、折り返し部３２と、垂下片部３３とを備えている。内カバー３は、例えば、金属鋼板を曲げ加工することで形成される。
【００３３】
覆い部３１は、流れ方向とは直角な方向に幅を有している。覆い部３１は、流れ方向に長さを有している。覆い部３１は、金属屋根１の水上側の端部から水下側の端部の全長に亙って形成されている。覆い部３１は、平坦面により構成されている。覆い部３１の幅は、隣接する山部１１同士の頂面１３に架設できる長さ以上に形成されている。
【００３４】
折り返し部３２は、覆い部３１の幅方向において内側の端部から、けらば側に向かって延出している。言い換えると、折り返し部３２は、流れ方向とは直角な方向に幅を有している。折り返し部３２は、覆い部３１に沿って設けられている。折り返し部３２は、流れ方向に長さを有している。折り返し部３２のけらば側の端部は、覆い部３１の幅方向の略中央に位置している。
【００３５】
垂下片部３３は、折り返し部３２のけらば側の端部から下方に向かって延出している。言い換えると、垂下片部３３は上下方向に幅を有している。垂下片部３３は、覆い部３１及び折り返し部３２に直交している。垂下片部３３は、流れ方向に長さを有している。垂下片部３３は、けらば側に曲がった屈曲端部３４を有している。屈曲端部３４は、けらば側に向かうほど上方に位置するよう傾斜している。屈曲端部３４の先端は、けらば側に臨んでいる。
【００３６】
この内カバー３は、次のようにして設置される。
【００３７】
金属屋根１のけらば側の端部は、図１（ａ）に示されるように、山部１１の頂面１３のけらば側の端部からからやや下方に位置する箇所で切断される。以下、切断後の金属屋根１の端部を形成する山部１１は、第１の山部１６として定義される。また、第１の山部１６のすぐ内側に並ぶ山部１１は、第２の山部１７として定義される。
【００３８】
施工者は、金属屋根１の端部を上記のように切断した後に、第１の山部１６と屋根下地材４との間に固定具５を配置する。
【００３９】
固定具５は、金属屋根１の第１の山部１６を屋根下地材４上に支持するための部材である。固定具５は、上横片部５１と、縦片部５３と、下横片部５２とを備えている。上横片部５１は、縦片部５３の上端からけらば側に向かって延出している。下横片部５２は、縦片部５３の下端からけらば側に向かって延出している。上横片部５１及び下横片部５２は、流れ方向とは直角な方向に幅を有している。縦片部５３は上下方向に高さを有している。また、固定具５は、流れ方向に長さを有している。上横片部５１の幅長さは、山部１１の頂面１３の裏側に配置できるような長さで形成されている。
【００４０】
本実施形態の固定具５は、Ｃ型鋼により構成されているが、例えば、中空の角パイプや、木製の角材等により構成されていてもよい。すなわち固定具５の形状は特に限定されない。また固定具５は、水上側の端部から水下側の端部の略全長に亙って設けられてもよいし、部分的に設けられたものであってもよい。
【００４１】
施工者は、この固定具５を、第１の山部１６と屋根下地材４との間に配置した上で、屋根下地材４上に固定する。この固定具５の固定は、例えば、下横片部５２に固着具６を打入することで行われる。
【００４２】
次に施工者は、第１の山部１６の切断端部を、固定具５に固定する（図１（ｂ））。この切断端部は、例えば、固定具５の上横片部５１に、折り返されて圧接されて固定される。言い換えると切断端部は、固定具５の上横片部５１を巻き込むようにして固定される。
【００４３】
次に、施工者は、内カバー３を配置する（図１（ｃ））。施工者は、垂下片部３３を、第１の山部１６と第２の山部１７との間の谷部１２内に位置させるようにして、内カバー３を配置する。すると、内カバー３は、第１の山部１６の頂面１３と第２の山部１７の頂面１３とに架設されるようにして載置される。言い換えると、内カバー３は、第１の山部１６の頂面１３と第２の山部１７の頂面１３とに当接する。
【００４４】
このとき施工者は、内カバー３の覆い部３１の内側の端部を、山部１１の頂面１３上に位置させて、当該頂面１３に当接することが好ましい。内カバー３は、谷部１２の幅寸法の範囲で、流れ方向とは直角な方向に位置調整可能となっている。
【００４５】
この状態で施工者は、内カバー３の上方から固着具６を打入し、内カバー３を固定具５に固定する。固着具６は、内カバー３・金属屋根１・固定具５・金属屋根１の切断端部の順に貫通する。
【００４６】
次に施工者は、けらば包み２を設置する（図１（ｄ））。施工者は、傾斜面部２３の先端の止水材２５が、内カバー３に当接するようにして、けらば包み２を配置する。施工者は、けらば包み２の内側の先端が、内カバー３に当接した状態で、けらば包み２の側面部２２を被固定部に固定する。なお、被固定部は、建物躯体であり、例えば、屋根下地材４や、破風板などが挙げられる。またけらば包み２の固定方法は、例えば、固着具６を打入することで行われる。
【００４７】
このとき、けらば包み２の上面部２１は、固定具５の上方に位置している。言い換えると、けらば包み２は、内カバー３に打入された固着具６を上方から覆う。また、けらば包み２の上面部２１は、傾斜面部２３の先端を除き、内カバー３の上面とは隙間を介して離間している。
【００４８】
また、内カバー３の垂下片部３３は、第１の山部１６と前記第２の山部１７との間の谷部１２に配置される。より詳しくは、内カバー３の垂下片部３３の下端は、第１の山部１６と第２の山部１７との間の谷部１２の底面１４に当接又は近接対向している。
【００４９】
以上説明したように、本実施形態の金属屋根１のけらばの雨仕舞構造は、屋根下地材４と、金属屋根１と、けらば包み２とを備えている。金属屋根１は屋根下地材４上に設置される。金属屋根１は、山部１１と谷部１２とが連設されて角波状となっている。けらば包み２は、金属屋根１のけらば側の端部を覆う。また、この雨仕舞構造は、第１の山部１６と、第２の山部１７と、固定具５と、内カバー３とを備えている。第１の山部１６は、金属屋根１のけらば側の端部を形成する。第２の山部１７は、第１の山部１６のすぐ内側に並ぶ。固定具５は、第１の山部１６と屋根下地材４との間に配置される。内カバー３は、第１の山部１６の頂面１３と第２の山部１７の頂面１３とに載置された状態で、固定具５に固定される。また内カバー３は、金属屋根１とけらば包み２との間に配置される。
【００５０】
このため、本実施形態の金属屋根１のけらばの雨仕舞構造によれば、けらば包み２の先端に、内カバー３を当接させることができる。つまり、山部１１と谷部１２との位置が施工現場ごとに異なったとしても、けらば包み２の内側の先端と内カバー３とを当接させることができる。この結果、けらば包み２の先端に隙間が生じて外観を低下させてしまうのを防ぐことができる上に、けらば包み２の内側の先端から水が回り込むのを防ぐことができる。
【００５１】
なお、図５（ａ）〜（ｄ）は、現場ごとに異なる断面形状を示している。図中の一点鎖線は、金属屋根１の位置を分かり易くするために、けらばから一定の位置を補助線として示す。これらの図からもわかるように、けらば包み２の内側の端部と、金属屋根１の谷部１２との位置関係によらず、けらば包み２の内側の端部に生じる隙間を無くすことができる。
【００５２】
また本実施形態の内カバー３は、固着具６を介して固定具５に固定されている。けらば包み２は、固着具６の上方を覆っている。
【００５３】
このため、内カバー３が固着具６を介して固定されていたとしても、防水性能を保つことができる。
【００５４】
また本実施形態の内カバー３は、垂下片部３３を有している。垂下片部３３は、第１の山部１６と第２の山部１７との間の谷部１２に配置されている。
【００５５】
このため、内カバー３と第２の山部１７との間から雨水が浸水したとしても、この雨水を、垂下片部３３を伝わせて、第１の山部１６と第２の山部１７との間の谷部１２に流下させることができる。
【００５６】
しかも、本実施形態の垂下片部３３の下端部には、屈曲端部３４が設けられている。屈曲端部３４の先端は、けらば側に臨んでいる。このため、図５（ｂ）に示されるように、垂下片部３３と第１の山部１６の側面とが密着するのを防ぐことができる。この点について、仮に、垂下片部３３と第１の山部１６の側面とが密着すると、谷部１２に付着した雨水が、毛細管現象により引き上げられることも考えられる。しかし、本実施形態のように、垂下片部３３の下端部に屈曲端部３４が設けられていると、この密着を防ぐことができて、けらば側に雨水が浸水するのを防ぐことができる。
【００５７】
なお、本実施形態の固着具６としては、釘やビス等が用いられる。このため、打入とは、打ち込むことだけでなく、ねじ込むことも含むものとする。また、各部の固着具６には、止水処理を施してもよい。
【符号の説明】
【００５８】
１      金属屋根
１１    山部
１２    谷部
１３    頂面
１４    底面
１５    ルーフ材
１６    第１の山部
１７    第２の山部
２      けらば包み
２１    上面部
２２    側面部
２３    傾斜面部
３      内カバー
３１    覆い部
３２    折り返し部
３３    垂下片部
４      屋根下地材
５      固定具
５１    上横片部
５２    下横片部
５３    縦片部
【図１】
2013237973.tif 000003
【図２】
2013237973.tif 000004
【図３】
2013237973.tif 000005
【図４】
2013237973.tif 000006
【図５】
2013237973.tif 000007
【図６】
2013237973.tif 000008